(57)【特許請求の範囲】
【請求項１】
水平帰線期間より前の期間において多階調画像を表示するための映像信号による画素の駆動を行った後、水平帰線期間において２値画像を表示するための２値データによる画素の駆動を行うことにより、多階調画像上に２値画像を表示する画像表示装置において、
上記２値データが有意である画素に対して多階調画像を表示するために画素に書き込まれた電位より高い電位である点灯電位を出力する一方、上記２値データが有意でない画素に対して多階調画像を表示するために画素に書き込まれた電位より低い電位である非点灯電位を出力することを特徴とする画像表示装置。
【請求項２】
水平帰線期間より前の期間において多階調画像を表示するための映像信号による画素の駆動を行った後、水平帰線期間において２値画像を表示するための２値データによる画素の駆動を行うことにより、多階調画像上に２値画像を表示する画像表示装置において、
上記２値データが有意でない画素に対して多階調画像を表示するために画素に書き込まれた電位より高い電位である点灯電位を出力する一方、上記２値データが有意である画素に対して多階調画像を表示するために画素に書き込まれた電位より低い電位である非点灯電位を出力することを特徴とする画像表示装置。
【請求項３】
複数色の映像信号のそれぞれに対応して設けられた複数のチャンネルに同タイミングで入力される２値データの電位を、上記複数のチャンネル間で比較するデータ比較手段を備えている一方、
上記データ比較手段の比較結果に応じて、各画素に対して、上記点灯電位および上記非点灯電位のいずれも出力しないように切り替えることが可能であることを特徴とする請求項１または２に記載の画像表示装置。
【請求項４】
上記２値データが有意である画素に対して上記点灯電位を出力する一方、上記２値データが有意でない画素に対して上記非点灯電位を出力するモードを第１の表示モードとし、
上記２値データが有意でない画素に対して上記点灯電位を出力する一方、上記２値データが有意である画素に対して上記非点灯電位を出力する第２の表示モードとした場合、
上記第１の表示モードまたは上記第２の表示モードのうち、いずれの表示モードで画像表示を行うかを指示する表示モード指示手段を備えていることを特徴とする請求項１ないし３のいずれか１項に記載の画像表示装置。
【発明の詳細な説明】
【０００１】
【発明の属する技術分野】
本発明はデータ信号線駆動回路や走査信号線駆動回路等の駆動回路を備えた画像表示装置に関する。
【０００２】
【従来の技術】
従来の画像表示装置の１つとして、アクティブマトリクス駆動方式の液晶表示装置が知られている。図８に示すように、従来の液晶表示装置１００は、表示部２００と、走査信号線駆動回路３００と、データ信号線駆動回路４００と、２値データ信号線駆動回路５００とからなっている。
【０００３】
表示部２００は、互いに交差する複数の走査信号線ＧＬｍ…（ｍは１からｊまでの整数）と、ＲＧＢの各色毎に設けられた複数のデータ信号線ＲＳＬｎ…・ＧＳＬｎ…・ＢＳＬｎ…（ｎは１からｉまでの整数）とを備えている。また、走査信号線とデータ信号線とにより囲まれる各升目の部分に、画素（図示せず）がマトリクス状に設けられている。
【０００４】
走査信号線駆動回路３００は、走査パルスＧＳＰおよび走査クロックＧＣＫに同期して、走査信号線ＧＬｍに走査信号を出力する。
【０００５】
データ信号線駆動回路４００は、クロック信号ＳＣＫおよびスタート信号ＳＳＰのタイミング信号に同期して、ＲＧＢとしての３色に対応して入力される映像信号Ｖｉｄｅｏ−Ｒ・Ｇ・Ｂをサンプリングするものである。また、データ信号線駆動回路４００は、必要に応じて映像信号Ｖｉｄｅｏ−Ｒ・Ｇ・Ｂを増幅して、各データ信号線ＲＳＬｎ・ＧＳＬｎ・ＢＳＬｎに書きこむものである。具体的には、データ信号線駆動回路４００は、シフトレジスタ６００と、サンプリング部７００とを備えている。
【０００６】
２値データ信号線駆動回路５００は、クロック信号ＳＣＫおよびスタート信号ＳＳＰのタイミング信号に同期して、２値データＢＩＮ−Ｒ・ＢＩＮ−Ｇ・ＢＩＮ−Ｂをサンプリングするものである。なお、２値データＢＩＮ−Ｒ・Ｇ・Ｂは、「有意である」値あるいは「有意でない」値として２つの値からなるデータである。
【０００７】
具体的には、図９に示すように、２値データ信号線駆動回路５００は、シフトレジスタ８００と、データ保持部９００と、データ切替部１０００と、出力制御部１１００とを備えている。
【０００８】
上記構成の液晶表示装置１００において、多階調画像上に、テキストや図形のような２値で表示されるような画像を合成して表示する場合、以下に説明するような手順により合成画像が表示される。
【０００９】
すなわち、図１０に示すように、スタート信号ＳＳＰとクロック信号ＳＣＫがデータ信号線駆動回路４００と２値データ信号線駆動回路５００に入力されると、シフトレジスタ６００と、シフトレジスタ８００とは、クロック信号ＳＣＫに同期して順次サンプリング信号ＳＭＰｎ（ｎは１からｉまでの整数）を出力する。
【００１０】
そして、データ信号線駆動回路４００において、サンプリング部７００は、多階調画像に対応する映像信号Ｖｉｄｅｏ−Ｒ・Ｇ・Ｂを、サンプリング信号ＳＭＰｎに同期させて、各データ信号線ＲＳＬｎ・ＧＳＬｎ・ＢＳＬｎにサンプリングしていく。なお、映像信号Ｖｉｄｅｏ−Ｒ・Ｇ・Ｂについて、サンプリング部７００への入力電位と、各データ信号線ＲＳＬｎ・ＧＳＬｎ・ＢＳＬｎにサンプリングされる電位とは、同じ電位とされている。
【００１１】
一方、２値データ信号線駆動回路５００は、シフトレジスタ８００から出力されるサンプリング信号ＳＭＰｎに同期させて、データ保持部９００に入力される２値データＢＩＮ−Ｒ・Ｇ・Ｂをサンプリングするとともにラッチする。なお、上記の２値データＢＩＮ−Ｒ・Ｇ・Ｂは、テキストや図形のような２値画像に対応するデータである。
【００１２】
より具体的には、２値データＢＩＮ−Ｒ・Ｇ・Ｂが有意であるとき（図１０中、”Ｔ”として示す）、データ切替部１０００は、点灯電位ＶＷを選択する。このようにして選択された点灯電位ＶＷは、水平帰線期間において出力制御部１１００に転送信号ＴＲＦが入力されたときに、各データ信号線ＲＳＬｎ・ＧＳＬｎ・ＢＳＬｎに一括して書き込まれる。
【００１３】
すなわち、各データ信号線ＲＳＬｎ・ＧＳＬｎ・ＢＳＬｎには、データ信号線駆動回路４００により映像信号Ｖｉｄｅｏ−Ｒ・Ｇ・Ｂがサンプリングされているが、点灯電位ＶＷが水平帰線期間において上書きされる。
【００１４】
一方、２値データＢＩＮ−Ｒ・Ｇ・Ｂが有意でないとき（図１０中、”Ｆ”として示す）、データ切替部１０００は、点灯電位ＶＷを選択しない。したがって、水平帰線期間において転送信号ＴＲＦが入力された後において、各データ信号線ＲＳＬｎ・ＧＳＬｎ・ＢＳＬｎには、データ信号線駆動回路４００によりサンプリングされた映像信号Ｖｉｄｅｏ−Ｒ・Ｇ・Ｂの電位がそのまま書き込まれる。
【００１５】
そして、走査信号線駆動回路３００によって、複数の走査信号線ＧＬｍが駆動されると、各データ信号線ＲＳＬｎ・ＧＳＬｎ・ＢＳＬｎに書き込まれたデータが、画素に書き込まれることにより表示部２００において画像表示が行われる。
【００１６】
ここで、２値データＢＩＮ−Ｒ・Ｇ・Ｂが有意であるために、点灯電位ＶＷが上書きされた画素は、テキストあるいは図形に対応する画像を表示する。
【００１７】
一方、２値データＢＩＮ−Ｒ・Ｇ・Ｂが有意でなく、データ信号線駆動回路４００によりサンプリングされた映像信号Ｖｉｄｅｏ−Ｒ・Ｇ・Ｂの電位がそのまま書き込まれた画素は、多階調画像を表示する。
【００１８】
このように、多階調画像を表示するための映像信号Ｖｉｄｅｏ−Ｒ・Ｇ・Ｂによる画素の駆動と、２値画像を表示するための２値データＢＩＮ−Ｒ・Ｇ・Ｂによる画素の駆動とを交互に行うことにより、多階調画像上に、テキストや図形のような２値画像を重ねて表示することができる。
【００１９】
【発明が解決しようとする課題】
しかしながら、点灯電位ＶＷが上書きされたデータ信号線の電位と、点灯電位ＶＷが書き込まれずに映像信号の電位がそのまま書き込まれたデータ信号線の電位との差が小さいと、水平帰線期間において、２値画像と、多階調画像との明暗の差がぼやけてしまう。このような場合、多階調画像が２値画像上に透けて見えてしまい、表示画像の視認性を劣化するという問題を招来する。
【００２０】
本発明は、上記従来の問題点に鑑みなされたものであって、その目的は、良好な視認性において多階調画像上に２値画像を表示し得る画像表示装置を提供することにある。
【００２１】
【課題を解決するための手段】
本発明の画像表示装置は、上記課題を解決するために、水平帰線期間より前の期間において多階調画像を表示するための映像信号による画素の駆動を行った後、水平帰線期間において２値画像を表示するための２値データによる画素の駆動を行うことにより、多階調画像上に２値画像を表示する画像表示装置において、上記２値データが有意である画素に対して多階調画像を表示するために画素に書き込まれた電位より高い電位である点灯電位を出力する一方、上記２値データが有意でない画素に対して多階調画像を表示するために画素に書き込まれた電位より低い電位である非点灯電位を出力することを特徴としている。
【００２２】
また、本発明の画像表示装置は、水平帰線期間より前の期間において多階調画像を表示するための映像信号による画素の駆動を行った後、水平帰線期間において２値画像を表示するための２値データによる画素の駆動を行うことにより、多階調画像上に２値画像を表示する画像表示装置において、上記２値データが有意でない画素に対して多階調画像を表示するために画素に書き込まれた電位より高い電位である点灯電位を出力する一方、上記２値データが有意である画素に対して多階調画像を表示するために画素に書き込まれた電位より低い電位である非点灯電位を出力することを特徴としている。
【００２３】
すなわち、本発明の画像表示装置は、２値画像を表示するために各画素に入力される２値データが有意であるか否かに応じ、各画素に多階調画像を表示するために画素に書き込まれた電位より高い電位である点灯電位を出力するか、あるいは多階調画像を表示するために画素に書き込まれた電位より低い電位である非点灯電位を出力するかを切り替える。
【００２４】
したがって、たとえば、２値データが有意である画素については点灯電位を、水平帰線期間に一斉にデータ切替手段から各画素に書き込むことにより、水平帰線期間以前にその画素が表示していた多階調画像よりも明るく表示することができる。
【００２５】
一方、２値データが有意でない画素については非点灯電位を、水平帰線期間に一斉にデータ切替手段から各画素に書き込むことにより、水平帰線期間以前にその画素が表示していた多階調画像よりも暗めに表示することができる。
【００２６】
ここで、２値データが有意である画素は、２値画像におけるテキストあるいは図形部分に対応する画素である。一方、２値データが有意でない画素は、２値画像における下地部分に対応する画素である。したがって、２値画像におけるテキストあるいは図形部分と、下地部分との明暗を明瞭なものとすることができる。
【００２７】
それゆえ、多階調画像上における２値画像の視認性を向上させることができるという効果を奏する。
【００２８】
また、本発明の画像表示装置は、上記課題を解決するために、上記構成において、複数色の映像信号のそれぞれに対応して設けられた複数のチャンネルに同タイミングで入力される２値データの電位を、上記複数のチャンネル間で比較するデータ比較手段を備えている一方、上記データ比較手段の比較結果に応じて、各画素に対して、上記点灯電位および上記非点灯電位のいずれも出力しないように切り替えることが可能であることを特徴としている。
【００２９】
上記構成によれば、本発明の画像表示装置は、複数色の映像信号のそれぞれに対応して設けられた複数のチャンネルに同タイミングで入力される２値データの電位を、上記複数のチャンネル間で比較するデータ比較手段を備えている一方、上記データ比較手段の比較結果に応じて、各画素に対して、上記点灯電位および上記非点灯電位のいずれも出力しないように切り替えることが可能である。
【００３０】
したがって、たとえば、同じタイミングで駆動されるＲＧＢの全ての画素について、２値データが有意でないという比較結果が得られた場合、データ切替手段から点灯電位および非点灯電位のいずれも出力しないようにすることができる。
【００３１】
したがって、２値画像における下地部分において、ＲＧＢの全ての画素について２値データが有意でない部分については、多階調画像表示用のデータが入力されればそのままの電位で画像が表示される。
【００３２】
それゆえ、上記構成の画像表示装置による効果に加えて、省電力化を図ることができる。
【００３３】
また、本発明の画像表示装置は、上記課題を解決するために、上記構成において、上記２値データが有意である画素に対して上記点灯電位を出力する一方、上記２値データが有意でない画素に対して上記非点灯電位を出力するモードを第１の表示モードとし、上記２値データが有意でない画素に対して上記点灯電位を出力する一方、上記２値データが有意である画素に対して上記非点灯電位を出力する第２の表示モードとした場合、上記第１の表示モードまたは上記第２の表示モードのうち、いずれの表示モードで画像表示を行うかを指示する表示モード指示手段を備えていることを特徴としている。
【００３４】
上記構成によれば、本発明の画像表示装置は、上記第１の表示モードと上記第２の表示モードとのいずれの表示モードで画像表示を行うかを指示する表示モード指示手段を備えている。
【００３５】
ここで、表示モード指示手段により第１の表示モードにて画像表示を行うよう指示した場合、２値画像におけるテキストあるいは図形部分が明るく表示され、下地部分が暗めに表示される。
【００３６】
一方、表示モード指示手段により第２の表示モードにて画像表示を行うよう指示した場合、２値画像におけるテキストあるいは図形部分が暗めに表示され、下地部分が明るく表示される。
【００３７】
それゆえ、上記構成の画像表示装置による効果に加えて、多階調画像と２値画像とを同時に表示する際、どちらの画像を強調したいかに応じて第１の表示モードあるいは第２の表示モードを選択することが可能となる。
【００３８】
【発明の実施の形態】
〔実施の形態１〕
本発明の実施の一形態について図１ないしは図５に基づいて説明すれば以下の通りである。
【００３９】
図１に示すように、本実施の形態の液晶表示装置（画像表示装置）１は、表示部２と、走査信号線駆動回路３と、データ信号線駆動回路４と、２値データ信号線駆動回路５とを備えている。さらに、データ信号線駆動回路４は、シフトレジスタ６と、サンプリング部７とを備えている。
【００４０】
表示部２、走査信号線駆動回路３、データ信号線駆動回路４の構成は従来技術で説明した液晶表示装置１００に備えられているものと同一であるので、その詳細な説明は省略する。
【００４１】
また、２値データ信号線駆動回路５は、クロック信号ＳＣＫおよびスタート信号ＳＳＰのタイミング信号に同期して、２値データＢＩＮ−Ｒ・ＢＩＮ−Ｇ・ＢＩＮ−Ｂをサンプリングするものである。具体的には、２値データ信号線駆動回路５は、図２に示すように、シフトレジスタ８と、データ保持部９と、データ比較部（データ比較手段）１０と、データ切替部（データ切替手段）１１と、出力制御部（データ切替手段）１２とを備えている。
【００４２】
すなわち、本実施の形態の液晶表示装置１は、２値データ信号線駆動回路５がデータ比較部１０を備えている点において、従来の液晶表示装置１００と構成が異なっている。以下、２値データ信号線駆動回路５の構成について詳細に説明する。
【００４３】
シフトレジスタ８は、スタート信号ＳＳＰとクロック信号ＳＣＫとに基づいて、サンプリング信号ＳＭＰｎ（ｎは１からｉまでの整数）を出力する。また、シフトレジスタ８は、図３に示すように、１つのＮＯＴ回路と、２つのクロックトインバータとを組み合わせた論理回路とすることができ、スタート信号ＳＳＰとクロック信号ＳＣＫとがともにＨｉｇｈとなったときに、サンプリング信号ＳＭＰｎを出力する。
【００４４】
データ保持部９は、サンプリング信号ＳＭＰｎに基づいて、２値データＢＩＮ−Ｒ・Ｇ・Ｂを保持するものである。具体的には、図２に示すように、データ保持部９は、複数の保持部ＲＬＡＴｎ…・ＧＬＡＴｎ…・ＢＬＡＴｎ…を備えている。すなわち、サンプリング信号ＳＭＰｎに基づき、２値データＢＩＮ−Ｒを保持部ＲＬＡＴｎに保持し、２値データＢＩＮ−Ｇを保持部ＧＬＡＴｎに保持し、２値データＢＩＮ−Ｂを保持部ＢＬＡＴｎに保持する。
【００４５】
各保持部ＲＬＡＴｎ・ＧＬＡＴｎ・ＢＬＡＴｎに保持された２値データＢＩＮ−Ｒ・Ｇ・Ｂは、ラッチデータとして出力される。また、保持部ＲＬＡＴｎ・ＧＬＡＴｎ・ＢＬＡＴｎは、たとえば図４に示すように、２つのＮＯＴ回路と、２つのクロックトインバータとを備える論理回路として構成することができる。
【００４６】
データ比較部１０は、Ｒチャンネル・Ｇチャンネル・Ｂチャンネルにおけるデータ保持部９により保持された２値データの電位を、Ｒ・Ｇ・Ｂの３つのチャンネル間において比較し、その比較結果に基づき、点灯電位ＶＷあるいは非点灯電位ＶＢを選択するか、または、点灯電位ＶＷおよび非点灯電位ＶＢのいずれも選択しないものである。このデータ比較部１０における選択動作についての詳細は後述する。
【００４７】
また、データ比較部１０は、図２に示すように、たとえば、複数のＮＯＴ回路と、複数の２入力ＮＯＲ回路と、複数の３入力ＮＯＲ回路とを組み合わせた論理回路により構成されている。
【００４８】
データ切替部１１は、転送信号ＴＲＦに基づいて、出力制御部１２から各データ信号線ＲＳＬｎ・ＧＳＬｎ・ＢＳＬｎに出力される電圧を、データ比較部１０により選択された電圧に切り替えるものである。また、出力制御部１２は、外部から入力される転送信号ＴＲＦに同期させて、データ比較部１０により選択された電圧を各データ信号線ＲＳＬｎ・ＧＳＬｎ・ＢＳＬｎに出力するものである。
【００４９】
なお、データ切替部１１と出力制御部１２とは、回路的に分離した構成でなくてもよい。すなわち、図２に示すように、ＡＮＤ回路、ＮＯＴ回路、およびアナログスイッチにより構成された論理回路を、データ切替部１１および出力制御部１２の機能を併せ持つ回路として一体的に構成すればよい。
【００５０】
上記構成の液晶表示装置１において、表示部２に入力される信号の状態を図５に示すタイミングチャートに基づいて説明する。
【００５１】
まず、スタート信号ＳＳＰとクロック信号ＳＣＫとが、データ信号線駆動回路４と２値データ信号線駆動回路５に入力される。その後、シフトレジスタ６・８は、それぞれクロック信号ＳＣＫに同期して、ＳＭＰ１・ＳＭＰ２…と順次サンプリング信号を出力する。
【００５２】
次に、データ信号線駆動回路４におけるサンプリング部７は、シフトレジスタ６から入力されるサンプリング信号ＳＭＰｎに同期させて、多階調画像に対応する映像信号Ｖｉｄｅｏ−Ｒ・Ｇ・Ｂを各データ信号線ＲＳＬｎ・ＧＳＬｎ・ＢＳＬｎにサンプリングしていく。なお、映像信号Ｖｉｄｅｏ−Ｒ・Ｇ・Ｂについて、サンプリング部７への入力電位と、各データ信号線ＲＳＬｎ・ＧＳＬｎ・ＢＳＬｎにサンプリングされる電位とは、同じ電位とされている。
【００５３】
一方、２値データ信号線駆動回路５では、シフトレジスタ８から出力されるサンプリング信号ＳＭＰｎに同期させて、データ保持部９に入力されている２値データＢＩＮ−Ｒ・ＢＩＮ−Ｇ・ＢＩＮ−Ｂをサンプリングするとともにラッチする。なお、上記の２値データＢＩＮ−Ｒ・Ｇ・Ｂは、テキストや図形のような２値画像に対応するデータである。また、図５中のＢＩＮ−Ｒ・ＢＩＮ−Ｇ・ＢＩＮ−Ｂに記されている“Ｔ”は、２値データが有意であることを示しており、“Ｆ”は、２値データが有意でないことを示している。
【００５４】
次に、データ比較部１０は、サンプリング信号ＳＭＰｎに基づいてサンプリングされた２値データＢＩＮ−Ｒ・ＢＩＮ−Ｇ・ＢＩＮ−Ｂが全て“Ｆ”のときは点灯電位ＶＷまたは非点灯電位ＶＢのいずれも選択しない。
【００５５】
一方、データ比較部１０は、２値データＢＩＮ−Ｒ・ＢＩＮ−Ｇ・ＢＩＮ−Ｂのうち、いずれかが“Ｔ”のときには、以下のように点灯電位ＶＷあるいは非点灯電位ＶＢを選択する。
【００５６】
すなわち、データ比較部１０は、Ｒチャンネル・Ｇチャンネル・Ｂチャンネルのうち、２値データＢＩＮ−Ｒ・ＢＩＮ−Ｇ・ＢＩＮ−Ｂが“Ｔ”であるチャンネルについて、点灯電位ＶＷを選択する。一方、２値データＢＩＮ−Ｒ・ＢＩＮ−Ｇ・ＢＩＮ−Ｂが“Ｆ”であるチャンネルについて、非点灯電位ＶＢを選択する。
【００５７】
なお、２値データＢＩＮ−Ｒ・ＢＩＮ−Ｇ・ＢＩＮ−Ｂが全て“Ｔ”のときは、ＲＧＢ全てのチャンネルについて点灯電位ＶＷを選択する。
【００５８】
その後、データ信号線駆動回路４および２値データ信号線駆動回路５が、それぞれ映像信号Ｖｉｄｅｏ−Ｒ・Ｇ・Ｂ、２値データＢＩＮ−Ｒ・Ｇ・Ｂのサンプリングを終える。このとき、各データ信号線ＲＳＬｎ・ＧＳＬｎ・ＢＳＬｎには、データ信号線駆動回路４によって、映像信号Ｖｉｄｅｏ−Ｒ・Ｇ・Ｂが供給されている。
【００５９】
次に、水平帰線期間になると２値データ信号線駆動回路５における出力制御部１２は、転送信号ＴＲＦに同期させて、データ切替部１１によって切り替えられた点灯電位ＶＷあるいは非点灯電位ＶＢを、各データ信号線ＲＳＬｎ・ＧＳＬｎ・ＢＳＬｎに一括して書き込む。なお、２値データＢＩＮ−Ｒ・ＢＩＮ−Ｇ・ＢＩＮ−Ｂが全て“Ｆ”のとき、出力制御部１２は、点灯電位ＶＷあるいは非点灯電位ＶＢのいずれも書き込まない。
【００６０】
その結果、２値データ信号が全て有意でない場合、各データ信号線ＲＳＬｎ・ＧＳＬｎ・ＢＳＬｎには、データ信号線駆動回路４から映像信号Ｖｉｄｅｏ−Ｒ・Ｇ・Ｂの電位がそのまま書き込まれることとなる。
【００６１】
一方、２値データ信号がいずれかのチャンネルにおいて有意である場合、２値データ信号が有意であるチャンネルについては、水平帰線期間において点灯電位ＶＷが上書きされる。また、２値データ信号が有意でないチャンネルについては、非点灯電位ＶＢが書き込まれる。
【００６２】
そして、走査信号線駆動回路３によって、複数の走査信号線ＧＬｍが駆動されると、各データ信号線ＲＳＬｎ・ＧＳＬｎ・ＢＳＬｎに書き込まれた電位が、画素に書き込まれることにより表示部２において画像表示が行われる。
【００６３】
このように、本実施の形態の液晶表示装置１は、２値画像を表示するために各画素に入力される２値データＢＩＮ−Ｒ・Ｇ・Ｂが有意であるか否かに応じ、各画素に対して、多階調画像を表示するために画素に書き込まれた電位より高い電位である点灯電位ＶＷを出力するか、あるいは多階調画像を表示するために画素に書き込まれた電位より低い電位である非点灯電位ＶＢを出力するかを切り替えるデータ切替部１１および出力制御部１２を備えている構成である。
【００６４】
したがって、たとえば、２値データＢＩＮ−Ｒ・Ｇ・Ｂが有意である画素については点灯電位ＶＷを、水平帰線期間に一斉にデータ切替部１１および出力制御部１２から各画素に書き込むことにより、水平帰線期間以前にその画素が表示していた多階調画像よりも明るく表示することができる。
【００６５】
一方、２値データがＢＩＮ−Ｒ・Ｇ・Ｂ有意でない画素については非点灯電位ＶＢを、水平帰線期間に一斉にデータ切替部１１および出力制御部１２から各画素に書き込むことにより、水平帰線期間以前にその画素が表示していた多階調画像よりも暗めに表示することができる。
【００６６】
ここで、２値データＢＩＮ−Ｒ・Ｇ・Ｂが有意である画素は、２値画像におけるテキストあるいは図形部分に対応する画素である。一方、２値データＢＩＮ−Ｒ・Ｇ・Ｂが有意でない画素は、２値画像における下地部分に対応する画素である。したがって、２値画像におけるテキストあるいは図形部分と、下地部分との明暗を明瞭なものとすることができる。
【００６７】
それゆえ、多階調画像上における２値画像の視認性を向上させることができる。
【００６８】
また、本実施の形態の液晶表示装置１は、駆動されるＲＧＢの各画素に入力される２値データＢＩＮ−Ｒ・Ｇ・Ｂを、ＲＧＢ色の各チャンネルについて比較するデータ比較部１０を備えている一方、データ切替手段１１は、データ比較部１０の比較結果に応じて、各画素に対して、点灯電位ＶＷおよび非点灯電位ＶＢのいずれも出力しないように切り替えることが可能である構成である。
【００６９】
上記構成によれば、たとえば、同じタイミングで駆動されるＲＧＢの全ての画素について、２値データＢＩＮ−Ｒ・Ｇ・Ｂが有意でないという比較結果が得られた場合、データ切替部１１から点灯電位ＶＷおよび非点灯電位ＶＢのいずれも出力しないようにすることができる。
【００７０】
したがって、２値画像における下地部分において、ＲＧＢの全ての画素について２値データＢＩＮ−Ｒ・Ｇ・Ｂが有意でない部分については、多階調画像表示用のデータＶｉｄｅｏ−Ｒ・Ｇ・Ｂが入力されればそのままの電位で画像が表示され、省電力化を図ることができる。
【００７１】
なお、本実施の形態においては、２値データが有意である画素について点灯電位ＶＷを選択し、２値データが有意でない画素について非点灯電位ＶＢを選択する構成について説明したが、必ずしもこの構成に限定されるものではない。すなわち、２値データが有意でない画素について点灯電位ＶＷを選択し、２値データが有意である画素について非点灯電位ＶＢを選択する構成であってもよい。
【００７２】
〔実施の形態２〕
本発明の他の実施の形態について、図６および図７に基づいて説明すれば以下の通りである。
【００７３】
図６に示すように、本実施の形態の液晶表示装置１は、実施の形態１の液晶表示装置１におけるデータ保持部９とデータ比較部１０との間に、表示モード指示部（表示モード指示手段）１３を設けた構成となっている。
【００７４】
表示モード指示部１３は、多階調画像を表示するための画像データと、２値画像を表示するための２値データとが入力された場合、スーパーインポーズモード（第１の表示モード）あるいはテキストモード（第２の表示モード）のうちいずれの表示モードで、２値画像を表示するかを決定するものである。なお、スーパーインポーズモードとは、多階調画像の上に重ねて明るく２値画像を表示するモードである。また、テキストモードとは、ＲＧＢ各色についての２値状態により決定される８色にて、２値画像のみを表示するモードである。
【００７５】
具体的には、表示モード指示部１３は、複数のＸＯＲ回路により構成することができる。各ＸＯＲ回路は、データ保持部９における保持部ＲＬＡＴｎ・ＧＬＡＴｎ・ＢＬＡＴｎの出力と、モード識別信号ＭＯＤＥとが入力されているとともに、データ比較部１０に接続されている。
【００７６】
なお、モード識別信号ＭＯＤＥとは、上記のスーパーインポーズモードとテキストモードとを識別する信号である。すなわち、モード識別信号ＭＯＤＥが“０”の場合、表示モードはスーパーインポーズモードであって、モード識別信号ＭＯＤＥが“１”の場合、表示モードはテキストモードである。
【００７７】
また、実施の形態１のデータ比較部１０における３入力ＮＯＲ回路は、実施の形態２のデータ比較部１０において４入力ＮＯＲ回路として置き換えられている。
【００７８】
したがって、表示モードがスーパーインポーズモードである場合、すなわちモード識別信号ＭＯＤＥが“０”である場合、実施の形態１のデータ比較部１０における３入力ＮＯＲ回路の出力と、実施の形態２のデータ比較部１０における４入力ＮＯＲ回路の出力とは同じである。
【００７９】
すなわち、データ比較部１０は、Ｒチャンネル・Ｇチャンネル・Ｂチャンネルのうち、図７に示すように、２値データＢＩＮ−Ｒ・ＢＩＮ−Ｇ・ＢＩＮ−Ｂが“Ｔ”であるチャンネルについて、点灯電位ＶＷを選択する。一方、２値データＢＩＮ−Ｒ・ＢＩＮ−Ｇ・ＢＩＮ−Ｂが“Ｆ”であるチャンネルについて、非点灯電位ＶＢを選択する。
【００８０】
したがって、２値データ信号が全て有意でない場合、各データ信号線ＲＳＬｎ・ＧＳＬｎ・ＢＳＬｎには、データ信号線駆動回路４から映像信号Ｖｉｄｅｏ−Ｒ・Ｇ・Ｂの電位がそのまま書き込まれることとなる。
【００８１】
一方、２値データ信号がいずれかのチャンネルにおいて有意である場合、２値データ信号が有意であるチャンネルについては、水平帰線期間において、点灯電位ＶＷが上書きされる。また、２値データ信号が有意でないチャンネルについては、非点灯電位ＶＢが書き込まれる。
【００８２】
したがって、水平帰線期間において２値画像が明るく表示されるので、２値画像と多階調画像との明暗が明瞭なものとなり、視認性を向上させることができる。
【００８３】
また、表示モードがテキストモードである場合、すなわちモード識別信号ＭＯＤＥが“１”である場合、図７に示すように、データ比較部１０は、Ｒチャンネル・Ｇチャンネル・Ｂチャンネルのうち、２値データＢＩＮ−Ｒ・ＢＩＮ−Ｇ・ＢＩＮ−Ｂが“Ｔ”であるチャンネルについて、非点灯電位ＶＢを選択する。一方、２値データＢＩＮ−Ｒ・ＢＩＮ−Ｇ・ＢＩＮ−Ｂが“Ｆ”であるチャンネルについて、点灯電位ＶＷを選択する。
【００８４】
また、２値データＢＩＮ−Ｒ・ＢＩＮ−Ｇ・ＢＩＮ−Ｂが全て”Ｆ”である場合は、ＲＧＢ全てのチャンネルについて点灯電位ＶＷを選択する。この点においてテキストモードと、スーパーインポーズモードの表示とは異なっている。
【００８５】
すなわち、スーパーインポーズモードでは、２値データＢＩＮ−Ｒ・Ｇ・Ｂが全て”Ｆ”である場合、点灯電位ＶＷあるいは非点灯電位ＶＢを書き込まず、映像信号Ｖｉｄｅｏ−Ｒ・Ｇ・Ｂの電位をそのまま書き込む。すなわち、映像信号Ｖｉｄｅｏ−Ｒ・Ｇ・Ｂの電位により、多階調画像を表示する。
【００８６】
一方、テキストモードでは、２値データＢＩＮ−Ｒ・Ｇ・Ｂが全て”Ｆ”である場合に、映像信号Ｖｉｄｅｏ−Ｒ・Ｇ・Ｂの電位に対して点灯電位ＶＷを上書きする。すなわち、多階調画像は表示されない。その結果、テキストモードでは、ＲＧＢ各色についての２値状態により決定される８色にて、２値画像のみを表示する。
【００８７】
また、表示される２値画像においては、２値データＢＩＮ−Ｒ・Ｇ・Ｂが“Ｔ”であるチャンネルについて非点灯電位ＶＢが選択され、２値データＢＩＮ−Ｒ・Ｇ・Ｂが“Ｆ”であるチャンネルについて点灯電位ＶＷが選択されている。したがって、２値画像におけるテキストあるいは図形部分が暗めに表示され、下地部分が明るく表示される。
【００８８】
このように、本実施の形態の液晶表示装置１は、スーパーインポーズモードと、テキストモードとのうち、いずれの表示モードで画像表示を行うかを指示する表示モード指示部１３を備えている構成である。
【００８９】
それゆえ、多階調画像と２値画像とを同時に表示する際、どちらの画像を強調したいかに応じてスーパーインポーズモードあるいはテキストモードを選択することが可能となる。
【００９０】
なお、上記の実施の形態１および実施の形態２の説明においては、本発明の画像表示装置が、アクティブマトリクス型の液晶表示装置である場合について説明した。しかし、必ずしもこの例に限定されるものではなく、他の画像表示装置にも本発明の画像表示装置の構成を適用することが可能である。
【００９１】
また、本発明の画像表示装置は、マトリクス状に配置された複数の画素と複数のデータ信号線および複数の走査信号線を有し、各走査信号線から供給される走査信号に同期して各データ信号線から各画素に画像表示のための表示が行われる表示部と、該複数のデータ信号線に所定のタイミング信号に同期して映像信号を出力する複数のデータ信号線駆動回路と、該複数の走査信号線に所定のタイミング信号に同期して走査信号を出力する走査信号線駆動回路とを備え、上記複数のデータ信号線駆動回路のうち、少なくとも１つのデータ信号駆動回路は、所定のタイミングで動作するシフトレジスタとそのシフトレジスタ出力に応じて別途、入力されるデジタルデータをサンプルし保持するデータ保持部と、画素のＲＧＢに対応するデジタルデータの保持状態を比較するデータ比較部と、データの比較結果に応じて、点灯電位を出力するか、非点灯電位を出力するか、いずれも出力しないかを選択するデータ切替部と、そのデータ切替部とデータ信号線との間に設けられ、外部から入力される転送信号によって出力制御を行う出力制御部とを備えている構成であってもよい。
【００９２】
また、本発明の画像表示装置は、上記構成の画像表示装置において、上記データ信号駆動回路に表示モード指示部を設け、モード識別信号により、２つの表示モードの切り替えができる構成であってもよい。
【００９３】
なお、本発明の画像表示装置は、ＲＧＢ色からなる多階調画像を表示するための映像信号による画素の駆動と、２値画像を表示するための２値データによる画素の駆動とを交互に行うことにより、多階調画像上に２値画像を表示する画像表示装置において、上記２値データが有意であるか否かに応じ、各画素に対して、多階調画像を表示するために画素に書き込まれた電位より高い電位である点灯電位を出力するか、あるいは多階調画像を表示するために画素に書き込まれた電位より低い電位である非点灯電位を出力するかを切り替えるデータ切替手段を備えている構成であってもよい。
【００９４】
上記構成によれば、２値画像を表示するために各画素に入力される２値データが有意であるか否かに応じ、各画素に多階調画像を表示するために画素に書き込まれた電位より高い電位である点灯電位を出力するか、あるいは多階調画像を表示するために画素に書き込まれた電位より低い電位である非点灯電位を出力するかを切り替えるデータ切替手段を備えている。
【００９５】
したがって、たとえば、２値データが有意である画素については点灯電位を、水平帰線期間に一斉にデータ切替手段から各画素に書き込むことにより、水平帰線期間以前にその画素が表示していた多階調画像よりも明るく表示することができる。
【００９６】
一方、２値データが有意でない画素については非点灯電位を、水平帰線期間に一斉にデータ切替手段から各画素に書き込むことにより、水平帰線期間以前にその画素が表示していた多階調画像よりも暗めに表示することができる。
【００９７】
ここで、２値データが有意である画素は、２値画像におけるテキストあるいは図形部分に対応する画素である。一方、２値データが有意でない画素は、２値画像における下地部分に対応する画素である。したがって、２値画像におけるテキストあるいは図形部分と、下地部分との明暗を明瞭なものとすることができる。
【００９８】
それゆえ、多階調画像上における２値画像の視認性を向上させることができるという効果を奏する。
【００９９】
また、本発明の画像表示装置は、上記構成において、同タイミングで駆動されるＲＧＢの各画素に入力される２値データを、ＲＧＢ色の各チャンネルについて比較するデータ比較手段を備えている一方、上記データ切替手段は、上記データ比較手段の比較結果に応じて、各画素に対して、上記点灯電位および上記非点灯電位のいずれも出力しないように切り替えることが可能である構成であってもよい。
【０１００】
上記構成によれば、本発明の画像表示装置は、同タイミングで駆動されるＲＧＢの各画素に入力される２値データを、ＲＧＢ色の各チャンネルについて比較するデータ比較手段を備えている一方、上記データ切替手段は、上記データ比較手段の比較結果に応じて、各画素に対して、上記点灯電位および上記非点灯電位のいずれも出力しないように切り替えることが可能である。
【０１０１】
したがって、たとえば、同じタイミングで駆動されるＲＧＢの全ての画素について、２値データが有意でないという比較結果が得られた場合、データ切替手段から点灯電位および非点灯電位のいずれも出力しないようにすることができる。
【０１０２】
したがって、２値画像における下地部分において、ＲＧＢの全ての画素について２値データが有意でない部分については、多階調画像表示用のデータが入力されればそのままの電位で画像が表示される。
【０１０３】
それゆえ、上記構成の画像表示装置による効果に加えて、省電力化を図ることができる。
【０１０４】
また、本発明の画像表示装置は、上記構成において、上記２値データが有意である画素に対して上記点灯電位を出力する一方、上記２値データが有意でない画素に対して上記非点灯電位を出力する第１の表示モードと、上記２値データが有意でない画素に対して上記点灯電位を出力する一方、上記２値データが有意である画素に対して上記非点灯電位を出力する第２の表示モードとのうち、いずれの表示モードで画像表示を行うかを指示する表示モード指示手段を備えている構成であってもよい。
【０１０５】
上記構成によれば、本発明の画像表示装置は、上記第１の表示モードと上記第２の表示モードとのいずれの表示モードで画像表示を行うかを指示する表示モード指示手段を備えている。
【０１０６】
ここで、表示モード指示手段により第１の表示モードにて画像表示を行うよう指示した場合、２値画像におけるテキストあるいは図形部分が明るく表示され、下地部分が暗めに表示される。
【０１０７】
一方、表示モード指示手段により第２の表示モードにて画像表示を行うよう指示した場合、２値画像におけるテキストあるいは図形部分が暗めに表示され、下地部分が明るく表示される。
【０１０８】
それゆえ、上記構成の画像表示装置による効果に加えて、多階調画像と２値画像とを同時に表示する際、どちらの画像を強調したいかに応じて第１の表示モードあるいは第２の表示モードを選択することが可能となる。
【０１０９】
【発明の効果】
本発明の画像表示装置は、以上のように、２値データが有意である画素に対して多階調画像を表示するために画素に書き込まれた電位より高い電位である点灯電位を出力する一方、２値データが有意でない画素に対して多階調画像を表示するために画素に書き込まれた電位より低い電位である非点灯電位を出力するものである。
【０１１０】
また、本発明の画像表示装置は、以上のように、２値データが有意でない画素に対して多階調画像を表示するために画素に書き込まれた電位より高い電位である点灯電位を出力する一方、上記２値データが有意である画素に対して多階調画像を表示するために画素に書き込まれた電位より低い電位である非点灯電位を出力するものである。
【０１１１】
それゆえ、２値画像におけるテキストあるいは図形部分と、下地部分との明暗を明瞭なものとし、多階調画像上における２値画像の視認性を向上させることができるという効果を奏する。
【０１１２】
また、本発明の画像表示装置は、以上のように、複数色の映像信号のそれぞれに対応して設けられた複数のチャンネルに同タイミングで入力される２値データの電位を、上記複数のチャンネル間で比較するデータ比較手段を備えている一方、上記データ比較手段の比較結果に応じて、各画素に対して、上記点灯電位および上記非点灯電位のいずれも出力しないように切り替えることが可能であるものである。
【０１１３】
上記構成によれば、同じタイミングで駆動されるＲＧＢの全ての画素について、２値データが有意でないという比較結果が得られた場合、データ切替手段から点灯電位および非点灯電位のいずれも出力しないようにすることができる。
【０１１４】
それゆえ、上記構成の画像表示装置による効果に加えて、省電力化を図ることができるという効果を奏する。
【０１１５】
また、本発明の画像表示装置は、以上のように、２値データが有意である画素に対して上記点灯電位を出力する一方、上記２値データが有意でない画素に対して上記非点灯電位を出力するモードを第１の表示モードとし、上記２値データが有意でない画素に対して上記点灯電位を出力する一方、上記２値データが有意である画素に対して上記非点灯電位を出力する第２の表示モードとした場合、上記第１の表示モードまたは上記第２の表示モードのうち、いずれの表示モードで画像表示を行うかを指示する表示モード指示手段を備えているものである。
【０１１６】
上記構成によれば、本発明の画像表示装置は、上記第１の表示モードと上記第２の表示モードとのいずれの表示モードで画像表示を行うかを指示する表示モード指示手段を備えている。
【０１１７】
それゆえ、上記構成の画像表示装置による効果に加えて、多階調画像と２値画像とを同時に表示する際、どちらの画像を強調したいかに応じて第１の表示モードあるいは第２の表示モードを選択することが可能となるという効果を奏する。
【図面の簡単な説明】
【図１】  本発明における画像表示装置の実施の一形態としての液晶表示装置を示すブロック図である。
【図２】  図１の液晶表示装置における２値データ信号線駆動回路を示すブロック図である。
【図３】  図１の液晶表示装置におけるシフトレジスタを示す回路図である。
【図４】  図１の液晶表示装置におけるデータ保持部を示す回路図である。
【図５】  図１の液晶表示装置における２値データ信号線駆動回路の動作を示すタイミングチャートである。
【図６】  本発明における画像表示装置のさらに他の実施の形態が備えている２値データ信号線駆動回路を示すブロック図である。
【図７】  図６の２値データ信号線駆動回路が、スーパーインポーズモードおよびテキストモードの場合に選択する電位を示す表である。
【図８】  従来の画像表示装置としての液晶表示装置を示すブロック図である。
【図９】  図８の液晶表示装置が備える２値データ信号線駆動回路を示すブロック図である。
【図１０】  図８の液晶表示装置における２値データ信号線駆動回路の動作を示すタイミングチャートである。
【符号の説明】
１    液晶表示装置（画像表示装置）
１０    データ比較部（データ比較手段）
１１    データ切替部（データ切替手段）
１２    出力制御部（データ切替手段）
１３    表示モード指示部（表示モード指示手段）
【図１】
0003753977.tif 000002
【図２】
0003753977.tif 000003
【図３】
0003753977.tif 000004
【図４】
0003753977.tif 000005
【図５】
0003753977.tif 000006
【図６】
0003753977.tif 000007
【図７】
0003753977.tif 000008
【図８】
0003753977.tif 000009
【図９】
0003753977.tif 000010
【図１０】
0003753977.tif 000011